(57)【要約】【課題】専用の装着部材を不要にするとともに、撮影画像の一部に影が生じることを防ぐことができるフード及び撮像装置システムを提供する。【解決手段】撮像装置（２）のレンズ鏡筒（３）に装着されるフード本体（１１０）と、フード本体（１１０）に設けられ、撮像装置（２）側からの光を通過可能にする通過手段（３０）とを備えているフード（１００）。【選択図】図１
2010249891.tif 000002
【特許請求の範囲】
【請求項１】
撮像装置のレンズ鏡筒に装着されるフード本体と、
前記フード本体に設けられ、前記撮像装置側からの光を通過可能にする通過手段と
を備えていることを特徴とするフード。
【請求項２】
前記通過手段は拡散部材であることを特徴とする請求項１記載のフード。
【請求項３】
前記通過手段は被写体側からの光を遮断可能なスリットであることを特徴とする請求項１記載のフード。
【請求項４】
前記フード本体は、前記レンズ鏡筒に対して、前記撮像装置側からの光が前記通過手段を通過する姿勢と通過しない姿勢とで装着可能であることを特徴とする請求項１〜３のいずれか１項記載のフード。
【請求項５】
前記スリットに拡散部材が装着されていることを特徴とする請求項３記載のフード。
【請求項６】
前記通過手段は前記フード本体の中心軸に対する角度を変更可能であることを特徴とする請求項１〜５のいずれか１項記載のフード。
【請求項７】
撮像手段を備えるとともに、被写体に対して光を照射可能な撮像装置と、
前記撮像装置の前記被写体側に設けられ、前記撮像手段に前記被写体の像を導く光学系を備えるレンズ鏡筒と、
前記レンズ鏡筒の前記被写体側に装着されるフードと
を備えている撮像装置システムにおいて、
前記フードは、前記レンズ鏡筒に装着されるフード本体と、
前記フード本体に設けられ、前記撮像装置側からの光を通過可能にする通過手段と
を備えていることを特徴とする撮像装置システム。
【請求項８】
前記フード本体が前記レンズ鏡筒へ装着されたとき、前記フード本体に開閉可能に設けられた前記通過手段が開いているか否かを検出する検出手段を備えていることを特徴とする請求項７記載の撮像装置システム。
【発明の詳細な説明】
【技術分野】
【０００１】
この発明はフード及び撮像装置システムに関する。
【背景技術】
【０００２】
従来、フラッシュ発光器（ストロボ装置）を内蔵したカメラ（撮像装置）が広く普及している。一眼レフカメラにおいてもカメラ本体にフラッシュ発光器を内蔵したものがある。
【０００３】
しかし、一眼レフカメラにズームレンズや広角レンズを装着した場合、鏡筒サイズ（口径、全長）が大きくなるため、フラッシュ発光器からのフラッシュ光（ストロボ光）の一部がレンズ鏡筒によって遮られてしまうフラッシュ光のケラレが発生し、撮影画像の一部に影が生じるという問題がある
フラッシュ光のケラレを防止するため、撮影レンズの種類や撮影距離に応じてフラッシュ発光器から拡散部材までの距離を任意に設定することができる、カメラ内蔵フラッシュ発光器用デフューザー（以下デフューザーという）が知られている（下記公報参照）。
【先行技術文献】
【特許文献】
【０００４】
【特許文献１】特開平７−９２５２７号公報
【発明の概要】
【発明が解決しようとする課題】
【０００５】
しかし、上記特許文献に記載されたデフューザーでは、デフューザーをカメラ本体に装着するためのホルダ等の専用の装着部材が別途必要であり、その装着部材を撮影の際にフード等の他の部材とともに携行しなければならないという問題がある。
【０００６】
この発明はこのような事情に鑑みてなされたもので、その課題は専用の装着部材を不要にするとともに、撮影画像の一部に影が生じることを防ぐことができるフード及び撮像装置システムを提供することである。
【課題を解決するための手段】
【０００７】
上記課題を解決するため請求項１記載の発明は、撮像装置本体に設けられたレンズ鏡筒に装着されるフード本体と、前記フード本体に設けられ、前記撮像装置本体側からの光を通過可能にする通過手段とを備えていることを特徴とするフードである。
【０００８】
請求項２記載の発明は、請求項１記載のフードにおいて、前記通過手段は拡散部材であることを特徴とする。
【０００９】
請求項３記載の発明は、請求項１記載のフードにおいて、前記通過手段は被写体側からの光を遮断可能なスリットであることを特徴とする。
【００１０】
請求項４記載の発明は、請求項１〜３のいずれか１項記載のフードにおいて、前記フード本体は、前記レンズ鏡筒に対して、前記撮像装置本体側からの光が前記通過手段を通過する姿勢と通過しない姿勢とで装着可能であることを特徴とする。
【００１１】
請求項５記載の発明は、請求項３記載のフードにおいて、前記スリットに拡散部材が装着されていることを特徴とする。
【００１２】
請求項６記載の発明は、請求項１〜５のいずれか１項記載のフードにおいて、前記通過手段は前記フード本体の中心軸に対する角度を変更可能であることを特徴とする。
【００１３】
請求項７記載の発明は、撮像手段を備えるとともに、被写体に対して光を照射可能な撮像装置と、前記撮像装置の前記被写体側に設けられ、前記撮像手段に前記被写体の像を導く光学系を備えるレンズ鏡筒と、前記レンズ鏡筒の前記被写体側に装着されるフードとを備えている撮像装置システムにおいて、前記フードは、前記レンズ鏡筒に装着されるフード本体と、前記フード本体に設けられ、前記撮像装置側からの光を通過可能にする通過手段とを備えていることを特徴とする撮像装置システムである。
【００１４】
請求項８記載の発明は、請求項７記載の撮像装置システムにおいて、前記フード本体が前記レンズ鏡筒へ装着されたとき、前記フード本体に開閉可能に設けられた前記通過手段が開いているか否かを検出する検出手段を備えていることを特徴とする。
【発明の効果】
【００１５】
この発明によれば専用の装着部材を不要にするとともに、撮影画像の一部に影が生じることを防ぐことができる。
【図面の簡単な説明】
【００１６】
【図１】図１はこの発明の第１実施形態に係る撮像装置システムの断面を示す概念図である。
【図２】図２（ａ），（ｂ），（ｃ）はこの発明の第１実施形態に係るフードの斜視図である。
【図３】図３はフード本体１１０のレンズ鏡筒３への装着状態を示す拡大断面図である。
【図４】図４（ａ），（ｂ），（ｃ）はこの発明の第２実施形態に係るフードの斜視図である。
【図５】図５（ａ）はこの発明の第３実施形態に係るフードの拡散部材を外した状態を示す斜視図、図５（ｂ）は拡散部材を取り付けたときのフードの断面を示す概念図である。
【発明を実施するための形態】
【００１７】
以下、この発明の実施の形態を図面に基づいて説明する。
【００１８】
図１はこの発明の第１実施形態に係る撮像装置システムの断面を示す概念図である。
【００１９】
一眼レフカメラシステム（撮像装置システム）１はカメラ本体（撮像装置）２とレンズ鏡筒３とフード１００とで構成されている。
【００２０】
一眼レフカメラシステム１では、拡散部材３０をフード１００に設けることによって撮像に必要なストロボ装置２０からの光を拡散部材３０で拡散させて光線ＬＢで示す範囲まで広げ、レンズ鏡筒３によってストロボ光がケラレる範囲Ｓをなくしている。なお、光線ＬＡはフード１００が無いときのストロボ装置２０からの光線を示している。
【００２１】
レンズ鏡筒３は撮影レンズＬ１〜Ｌ３（光学系）を収納した円筒状の固定筒４を有する。固定筒４のカメラ本体２側の端部にはマウント部５が形成され、レンズ鏡筒３はカメラ本体２に対してバヨネット方式で着脱自在に取り付けられている。また、固定筒４の被写体側の先端部にはフード１００を装着するためのフード取付部６が形成されている。フード取付部６は固定筒４の先端部に周方向に沿って配置された複数の爪部７（図３参照）を有する。なお、図示しないが、固定筒４の外周にはズーム及びフォーカスリングが設けられている。
【００２２】
カメラ本体２は筐体１０と、筐体１０内に被写体像を電気信号に変換するＣＣＤ等からなる撮像部（撮像手段）１２等とを有する。また、筐体１０にはレンズ鏡筒３を装着するための開口部１６が形成されている。更に、筐体１０の上部（開口部１６のほぼ真上）には、レリーズ動作と露光条件からＣＰＵ（図示せず）が必要と判断したときに自動的に発光準備状態となるストロボ装置２０が設けられている。
【００２３】
ストロボ装置２０として、使用されないときには筐体１０に収納されており、使用されるときには筐体１０から飛び出して図１に示す使用状態となる、いわゆるポップアップ式ストロボ装置が採用されている。ストロボ装置２０の使用時には発光部２１が光軸Ｌから離れるので、いわゆる赤目現象の発生を低減することができる。なお、ポップアップ式ストロボ装置に代え、ストロボ装置がカメラ本体２の上部に固定されている固定式ストロボ装置を採用してもよい。
【００２４】
次に、フード１００について説明する。
【００２５】
図２（ａ），（ｂ），（ｃ）はこの発明の第１実施形態に係るフード１００の斜視図、図３はフード本体１１０のレンズ鏡筒３への装着状態を示す拡大断面図である。
【００２６】
図２（ａ）は拡散部材（通過手段）３０をフード本体１１０から取り外した状態を示す図であり、図２（ｂ）はフード本体１１０に取り付けられた拡散部材３０が閉じた状態を示す図であり、図２（ｃ）はフード本体１１０に取り付けられた拡散部材３０が開いた状態を示す図である。
【００２７】
フード１００は、フード本体１１０と、ストロボ装置２０からの光を拡散させる拡散部材３０とで構成されている。フード本体１１０は環状部１０６と、環状部１０６からＲ部１０７ａを介して連なり、有害光束（撮影画像に寄与しない像を形成する光束）を遮光する円筒状部材１０７とで構成される。円筒状部材１０７にはほぼ矩形形状の切欠き部１０８が形成されている。拡散部材３０は切欠き部１０８とほぼ同じ形状・大きさであり、切欠き部１０８を開閉可能にフード本体１１０に取付けられている。
【００２８】
環状部１０６と円筒状部材１０７とは遮光部材で一体成形され、被写体側へ向かって円筒状部材１０７の径が次第に大きくなる。
【００２９】
拡散部材３０は例えば白色乃至透明のアクリル板で形成されている。なお、拡散部材３０の表面を負パワーのフレネルレンズとしてもよい。また、拡散部材３０での拡散光とストロボ装置２０からの直接光との境界部において不自然な撮影画像（拡散部材３０の拡散光とストロボ装置２０からの直接光との境界部において明るさが変化している画像）とならないように、拡散部材３０の拡散率をグラデーション状に変化させるようにしてもよい。
【００３０】
拡散部材３０は、図２（ｃ）に示すフード本体１１０の中心軸（図示せず）に対してほぼ直角となる位置と図２（ｂ）に示すフード本体１１０の中心軸にほぼ平行となる位置との間でフード本体１１０に回転可能に支持されている。拡散部材３０は円弧状であり、その曲率半径は円筒状部材１０７と同じである。拡散部材３０の両側面（周方向の両側の面）には、フード本体１１０の丸穴１１１に嵌合し、拡散部材３０の回転軸として機能するピン状突起３１と、フード本体１１０の溝（図示せず）と係合する弾性変形可能なクリック爪３２とが設けられている。この構成により、拡散部材３０を所定位置（図２（ｃ）に示す位置と図２（ｂ）に示す位置）に固定することができ、拡散部材３０の不用意な回転を防止することができる。
【００３１】
取付部１０５は、被写体側から見てストロボ装置２０の真下に位置するように、フード本体１１０をレンズ鏡筒３のフード取付部６に取り付けるためのものである。
【００３２】
取付部１０５の内周面には周方向へ延びる複数の円弧上凸部１０４が形成されている。周方向で隣り合う凸部１０４は中心軸に沿う方向へ所定間隔だけずらして形成されている。凸部１０４は爪部７と固定筒４の壁部９とによって挟持されて固定筒４に対するフードの光軸方向の位置決めが行われる。また、取付部１０５には周方向に１８０°の間隔をおいて固定筒４のクリック凹部（図示せず）と係合する一対のクリック突起１０５ａ，１０５ｂ（１０５ｃ，１０５ｄ）がそれぞれ形成されている。これにより、フード１００を周方向へ１８０°回転させた位置でクリック突起１０５ａ，１０５ｂ（１０５ｃ，１０５ｄ）とクリック凹部とをそれぞれ係合させることができ、２つの係合位置においてフード１００を安定に保持することができる。なお、クリック突起１０５ａは図２（ｂ），（ｃ）の状態にフード１００を位置決めするときに使用され、クリック突起１０５ｃは図２（ｂ），（ｃ）の状態からフード１００を１８０°回転させた状態にフード１００を位置決めするときに使用される。図２（ｃ）に示す位置では図２（ｂ）に示す位置より拡散部材３０に入射するストロボ光（カメラ本体２側からの光）の拡散範囲が広がり、光拡散効果を高めることができる。
【００３３】
環状部１０６のクリック突起１０５ａ，１０５ｂ及び１０５ｃ，１０５ｄの近傍には、フード１００をレンズ鏡筒３に装着するときの環状部１０６の変形を吸収するための孔１０９ａ，１０９ｂがそれぞれ形成されている。
【００３４】
なお、固定筒４の先端部には、拡散部材３０が開いているか否かを検出するスイッチ（検出手段）８が設けられている。撮影の際、拡散部材３０が開いていることが検出されたとき、ＣＰＵは撮影距離・焦点距離情報に基づいて画像処理を行って不自然さを低減させた画像をカメラ本体２の表示部（図示せず）に表示させたり、記憶部に記憶させたりする。
【００３５】
次に、フード１００の使用方法及びレンズ鏡筒３に装着されたフード１００の働きを説明する。
【００３６】
拡散部材３０がレンズ鏡筒３の上側にくるようにフード本体１１０の取付部１０５をレンズ鏡筒３の固定筒４の先端部のフード取付部６に取り付ける。この後、フード１００を所定角度だけ光軸Ｌ周りへ回転させると、固定筒４の爪部７と凸部１０４とが係合してフード本体１１０がレンズ鏡筒３に位置決めされる（図２（ｂ），（ｃ）参照）。なお、フード本体１１０は図２（ｂ），（ｃ）に示す位置から１８０°回転させてレンズ鏡筒３にフード１００を装着することもできる。すなわち、拡散部材３０をストロボ装置２０から最も近い位置に配置することも最も遠い位置に配置することもできる。
【００３７】
クリック突起１０５ａ又は１０５ｃが固定筒４のクリック凹部に落ち込んだとき、クリック感が発生するため、撮影者はフード１００がレンズ鏡筒３に正常に装着された状態であることを知ることができる。
【００３８】
ストロボ光を使用するストロボ撮影のとき、光軸Ｌを挟んでレンズ鏡筒３の上側に拡散部材３０が位置するようにフード１００をレンズ鏡筒３に装着する。
【００３９】
ストロボ装置２０がカメラ本体２からポップアップされるストロボ撮影モードが選択されている場合、レリーズ時、ストロボ装置２０の発光部２１からストロボ光が出射される。このとき、ストロボ光は拡散部材３０によって拡散されるため、ケラレが防止される（図１参照）。例えば広角レンズを用いて撮影を行うとき、拡散部材３０を開けば、拡散部材３０の光拡散効果が高まる。
【００４０】
また、ストロボ光を使用しない通常撮影のとき、光軸Ｌを挟んでレンズ鏡筒３の下側に拡散部材３０が位置するようにフード１００をレンズ鏡筒３に装着する。
【００４１】
ポップアップされたストロボ装置２０をカメラ本体２内に収納すると、レリーズ時にストロボ装置２０を用いない通常撮影モードとなる。このとき、レンズ鏡筒３に入射する、ゴーストやフレアの原因となる有害光はフード本体１１０によって遮断される。
【００４２】
この実施形態によれば、フード本体１１０に拡散部材３０を設けたので、拡散部材３０の装着に専用の装着部材を必要とせず、撮影の際に携行する部材が少なくなるだけでなく、ズームレンズや広角レンズを装着してストロボ撮影したときであってもストロボ装置２０からのストロボ光がフード本体１１０によって遮断されず、撮影画像の一部に影ができることが防止される。また、拡散部材３０がレンズ鏡筒３の先端部に位置するので、拡散部材３０がレンズ鏡筒３の外周面に設けられるズーム及びフォーカスのレンズリングの操作の邪魔になることがない。なお、上記実施形態では拡散部材３０を可倒式にしたが、拡散部材３０はフード本体１１０に固定するようにしてもよい。
【００４３】
図４（ａ），（ｂ），（ｃ）はこの発明の第２実施形態に係るフード２００の斜視図であり、第１実施形態と共通する部分には同一符号を付してその説明を省略する。
【００４４】
図４（ａ）は拡散部材２３０をフード本体２１０から取り外した状態を示す図であり、図４（ｂ）はフード本体２１０に取り付けられた拡散部材２３０が閉じた状態を示す図であり、図４（ｃ）はフード本体２１０に取り付けた拡散部材２３０が開いた状態を示す図である。
【００４５】
フード２００は、フード本体２１０と、フード本体２１０に設けられ、ストロボ装置２０からの光を拡散させる拡散部材（通過手段）２３０とで構成されている。
【００４６】
フード本体２１０は、環状部１０６と、環状部１０６からＲ部１０７ａを介して連なり、有害光束を遮光する花弁形状の長片２２０、短片２４０Ａ，２４０Ｂとで構成される。長片２２０、短片２４０Ａ，２４０Ｂは被写体側へ向けて延びる。拡散部材２３０は例えばアクリル板で形成される。拡散部材２３０の形状及び大きさは長片２２０とほぼ同じである。拡散部材２３０と長片２２０とはフード本体２１０をレンズ鏡筒３に装着したとき、レンズ鏡筒３の光軸Ｌを挟んで上下方向で対向するように配置されている。また、短片２４０Ａと短片２４０Ｂとはフード本体２１０をレンズ鏡筒３に装着したとき、レンズ鏡筒３の光軸Ｌを挟んで左右方向で対向するように配置されている。
【００４７】
拡散部材２３０は、図４（ｂ）に示す位置（フード本体２１０の中心軸にほぼ平行になる位置）と図４（ｃ）に示す位置（フード本体２１０の中心軸に対してほぼ直角になる位置）との間でフード本体２１０に回転可能に支持されている。
【００４８】
フード２００の使用方法及びレンズ鏡筒３に装着されたフード２００の働きを説明する。
【００４９】
拡散部材２３０がレンズ鏡筒３の上側にくるようにフード本体２１０の取付部１０５をレンズ鏡筒３の固定筒４の先端部のフード取付部６に取り付ける。この後、フード２００を所定角度だけ光軸Ｌ周りへ回転させると、固定筒４の爪部７と凸部１０４と係合してフード本体２１０がレンズ鏡筒３に位置決めされる（図４（ｂ），（ｃ）参照）。なお、フード本体２１０は図４（ｂ），（ｃ）に示す位置から１８０°回転させてレンズ鏡筒３にフード２００を装着することもできる。すなわち、拡散部材２３０をストロボ装置２０から最も近い位置に配置することも最も遠い位置に配置することもできる。
【００５０】
クリック突起１０５ａ又は１０５ｃが固定筒４のクリック凹部に落ち込んだとき、クリック感が発生するため、撮影者はフード２００がレンズ鏡筒３に正常に装着された状態であることを知ることができる。このとき、拡散部材２３０と長片２２０とがレンズ鏡筒３の光軸Ｌを挟んで対向し、レンズ鏡筒３の光軸Ｌを挟んで対向する。
【００５１】
ストロボ光を使用するストロボ撮影のとき、光軸Ｌを挟んでレンズ鏡筒３の上側に拡散部材３０が位置するようにフード２００をレンズ鏡筒３に装着する。
【００５２】
ストロボ装置２０がカメラ本体２からポップアップされるストロボ撮影モードが選択されている場合、レリーズ時、ストロボ装置２０の発光部２１からストロボ光が出射される。このとき、ストロボ光は拡散部材２３０によって拡散されるため、ケラレが防止される。例えば広角レンズを用いて撮影を行うとき、拡散部材２３０を開けば、拡散部材２３０の光拡散効果が高まる。
【００５３】
また、ストロボ光を使用しない通常撮影のとき、光軸Ｌを挟んでレンズ鏡筒３の下側に拡散部材２３０が位置するようにフード２００をレンズ鏡筒３に装着する。
【００５４】
ポップアップされたストロボ装置２０をカメラ本体２内に収納すると、レリーズ時にストロボ装置２０を用いない通常撮影モードとなる。このとき、上方から入射する有害光は上側の長片２２０によって遮られ、遮光が確保された通常撮影が実現できる。また、上方からレンズ鏡筒３に入射する、ゴーストやフレアの原因となる有害光はフード本体２１０によって遮断される。
【００５５】
この実施形態によれば、第１実施形態と同様の効果を奏する。
【００５６】
図５（ａ）はこの発明の第３実施形態に係るフード３００の拡散部材３３０を外した状態を示す斜視図、図５（ｂ）は拡散部材３３０を取り付けたときのフード３００の断面を示す概念図であり、第１実施形態と共通する部分には同一符号を付してその説明を省略する。
【００５７】
この実施形態は、遮光部材で形成されたフード本体３１０の一部に複数のスリット３５０を形成するとともに、スリット３５０に拡散部材３３０を装着した点で、第１実施形態と相違する。
【００５８】
スリット３５０は周方向へ延びる。スリット３５０はストロボ光（撮像装置側からの光）が通過可能であるが被写体側からの光が遮断されるように光軸Ｌと斜めに交差する方向に向いている。
【００５９】
拡散部材３３０は円弧状の板であり、スリット３５０に嵌合する（図５（ｂ）参照）。
【００６０】
フード本体３１０がレンズ鏡筒３へ正常に装着されたとき、被写体側から見てストロボ装置２０の真下に位置する。
【００６１】
この実施形態によれば、第１実施形態と同様の効果を奏するとともに、ストロボ光を使用するか否かにかかわらず拡散部材３３０の周方向の位置を変えずに使用することができる。
【００６２】
なお、上記各実施形態は一眼レフカメラを挙げて説明したが、この発明の適用範囲はこれに限定されず、ストロボ装置を内蔵し、かつフードを装着可能な全てのカメラに本願発明を適用することができる。また、レンズ鏡筒を別体とする一眼レフカメラに限らず、レンズ鏡筒を一体に有するコンパクトカメラ等にもこの発明を適用することができる。
【符号の説明】
【００６３】
１： 一眼レフカメラシステム（撮像装置システム）、２：カメラ本体（撮像装置）、３：レンズ鏡筒、８：スイッチ（検出手段）、１２：撮像部（撮像手段）、３０，２３０，３３０：拡散部材（通過手段）、１００，２００，３００：フード、１１０，２１０，３１０：フード本体、３５０：スリット、Ｌ１，Ｌ２，Ｌ３：レンズ（光学系）。
【図１】
2010249891.tif 000003
【図２】
2010249891.tif 000004
【図３】
2010249891.tif 000005
【図４】
2010249891.tif 000006
【図５】
2010249891.tif 000007